(57)【特許請求の範囲】
【請求項１】
被測定者の生体情報のデータを収集する看護支援端末装置であって、
無線通信により患者を識別するための識別情報を取得する識別情報取得部と、
前記識別情報取得部が取得した前記識別情報に基づいて、前記患者の患者情報と前記患者の最新の測定時刻とを収集することで、前記患者が最後に生体情報の測定を受けた測定時刻に関連する時刻情報を外部のサーバ装置から取得する取得部と、
前記識別情報取得部によって複数の前記患者の複数の前記識別情報が取得され、前記取得部によって複数の前記識別情報に対応する複数の前記患者の複数の前記時刻情報が取得された場合、複数の前記時刻情報のうちで最も古い測定時刻を示している時刻情報に対応する前記患者を前記被測定者として特定する被測定者取得部と、
を有する、ことを特徴とする看護支援端末装置。
【請求項２】
被測定者の生体情報のデータを収集する看護支援端末装置であって、
無線通信により患者を識別するための識別情報を取得する識別情報取得部と、
前記識別情報取得部が取得した前記識別情報に基づいて、前記患者の患者情報と前記患者の最新の測定時刻とを収集することで、前記患者が最後に生体情報の測定を受けた測定時刻に関連する時刻情報を外部のサーバ装置から取得する取得部と、
前記識別情報取得部によって複数の前記患者の複数の前記識別情報が取得され、前記取得部によって複数の前記識別情報に対応する複数の前記患者の複数の前記時刻情報が取得された場合、複数の前記時刻情報のうちで最も古い測定時刻を示している時刻情報に対応する前記患者を前記被測定者として特定する被測定者取得部と、
情報を表示する表示部と、
ユーザによる入力を受け付ける操作部と、を有し、
前記表示部は、前記複数の識別情報に基づいて取得された複数の前記測定時刻を表示し、前記操作部は、前記ユーザによる前記測定時刻の選択の入力を受け付け、前記被測定者特定部は、前記選択の入力に基づいて、一の患者を前記被測定者として特定する、ことを特徴とする看護支援端末装置。
【請求項３】
請求項２に記載の看護支援端末装置であって、
前記識別情報取得部が複数の識別情報を取得した場合、前記表示部は、当該複数の識別情報に基づいて取得された複数の前記測定時刻を、前記測定時刻が古い順にリスト表示する、ことを特徴とする看護支援端末装置。
【請求項４】
請求項１から３のいずれか１つに記載の看護支援端末装置であって、
さらに、被測定者の生体情報を測定する生体情報測定装置から被測定者の生体情報を取得する生体情報取得部と、
生体情報を収集するサーバ装置へ被測定者の生体情報を送信する生体情報送信部と、
を有することを特徴とする看護支援端末装置。
【請求項５】
請求項１または２に記載の看護支援端末装置と、
患者に装着されて使用され、患者を識別するための識別情報を保持する記憶媒体と、
患者が最後に生体情報の測定を受けた測定時刻に関する情報を保持するデータベースと、
を有する、看護支援システム。
【請求項６】
請求項５に記載の看護支援システムであって、
前記記憶媒体は、ＩＣタグである、ことを特徴とする看護支援システム。
【請求項７】
被測定者の生体情報のデータを収集する看護支援端末装置における看護支援方法であって、
無線通信により患者を識別するための識別情報を取得する識別情報取得ステップと、
前記識別情報取得ステップで取得した前記識別情報に基づいて、前記患者の患者情報と前記患者の最新の測定時刻とを収集することで、前記患者が最後に生体情報の測定を受けた測定時刻に関連する情報を外部のサーバ装置から取得する取得ステップと、
前記識別情報取得ステップで複数の前記患者の複数の前記識別情報が取得され、前記取得ステップで複数の前記識別情報に対応する複数の前記患者の複数の前記時刻情報が取得された場合、複数の前記時刻情報のうちで最も古い測定時刻を示している時刻情報に対応する前記患者を前記被測定者として特定する被測定者取得ステップと、
を含む、ことを特徴とする看護支援方法。
【請求項８】
被測定者の生体情報のデータを収集する看護支援端末装置における看護支援方法であって、
無線通信により患者を識別するための識別情報を取得する識別情報取得ステップと、
前記識別情報取得ステップで取得した前記識別情報に基づいて、前記患者の患者情報と前記患者の最新の測定時刻とを収集することで、前記患者が最後に生体情報の測定を受けた測定時刻に関連する時刻情報を外部のサーバ装置から取得する取得ステップと、
前記識別情報取得ステップで複数の前記患者の複数の前記識別情報が取得され、前記取得ステップで複数の前記識別情報に対応する複数の前記患者の複数の前記時刻情報が取得された場合、複数の前記時刻情報のうちで最も古い測定時刻を示している時刻情報に対応する前記患者を前記被測定者として特定する被測定者取得ステップと、
を含み、
前記被測定者特定ステップにおいては、前記識別情報取得ステップで複数の識別情報を取得した場合、表示部が当該複数の識別情報に基づいて取得された複数の前記測定時刻を表示し、操作部がユーザによる前記測定時刻の選択の入力を受け付け、前記選択の入力に基づいて、一の患者を前記被測定者として特定する、ことを特徴とする看護支援方法。
【請求項９】
被測定者の生体情報のデータを収集する看護支援端末装置のコンピュータに、
無線通信により患者を識別するための識別情報を取得する識別情報取得ステップと、
前記識別情報取得ステップで取得した前記識別情報に基づいて、前記患者の患者情報と前記患者の最新の測定時刻とを収集することで、前記患者が最後に生体情報の測定を受けた測定時刻に関連する情報を外部のサーバ装置から取得する取得ステップと、
前記識別情報取得ステップで複数の前記患者の複数の前記識別情報が取得され、前記取得ステップで複数の前記識別情報に対応する複数の前記患者の複数の前記時刻情報が取得された場合、複数の前記時刻情報のうちで最も古い測定時刻を示している時刻情報に対応する前記患者を前記被測定者として特定する被測定者取得ステップと、
を実行させる、
ことを特徴とする看護支援プログラム。
【請求項１０】
被測定者の生体情報のデータを収集する看護支援端末装置のコンピュータに、
無線通信により患者を識別するための識別情報を取得する識別情報取得ステップと、
前記識別情報取得ステップで取得した前記識別情報に基づいて、前記患者の患者情報と前記患者の最新の測定時刻とを収集することで、前記患者が最後に生体情報の測定を受けた測定時刻に関連する時刻情報を外部のサーバ装置から取得する取得ステップと、
前記識別情報取得ステップで複数の前記患者の複数の前記識別情報が取得され、前記取得ステップで複数の前記識別情報に対応する複数の前記患者の複数の前記時刻情報が取得された場合、複数の前記時刻情報のうちで最も古い測定時刻を示している時刻情報に対応する前記患者を前記被測定者として特定する被測定者取得ステップと、
を実行させ、
前記被測定者特定ステップにおいては、前記識別情報取得ステップで複数の識別情報を取得した場合、表示部が当該複数の識別情報に基づいて取得された複数の前記測定時刻を表示し、操作部がユーザによる前記測定時刻の選択の入力を受け付け、前記選択の入力に基づいて、一の患者を前記被測定者として特定する、
ことを特徴とする看護支援プログラム。
【発明の詳細な説明】
【技術分野】
【０００１】
この発明は、患者の生体情報（体温、血圧等）のデータの収集に用いられる看護支援端末装置に関する。
【０００２】
またこの発明は、患者の生体情報のデータの収集に用いられる看護支援端末装置、および、端末装置とデータ通信可能に接続されて患者の生体情報のデータを端末装置から取得し電子カルテに記録する看護支援サーバ装置を有する看護支援システムに関する。
【０００３】
またこの発明は、看護支援端末装置における看護支援方法および看護支援プログラムに関する。
【背景技術】
【０００４】
従来、この種のシステムとして、例えば特許文献１（特開２００４−３５１０６３号公報）に開示された、バイタルデータの測定を担当するデータ採取者を確認する第１の確認手段と、測定の対象となる患者を確認する第２の確認手段と、患者に装着され測定実施項目を測定する測定手段と、測定手段から得られた測定データを読み込んで一時保持するデータ取得手段と、測定データの転送・記録を指示する指示手段と、測定データの記録が指示された場合に測定データが記録されるデータ蓄積サーバと、を有する患者データ採取管理システムがある。特許文献１のシステムでは、システムがデータ採取者および患者のそれぞれに装着された二次元バーコードを読み取ってデータ採取者および患者を特定する。
【０００５】
特許文献２（特開２０１４−０６８６９６号公報）には、生体情報計測装置（例、体温計）から生体情報を無線で受信する際に患者の識別情報も生体情報計測装置から無線方式によって取得し、取得した識別情報に基づいて患者を特定する生体情報取得装置が開示されている。また、特許文献２には、患者認証方法の一例として生体情報取得装置が患者の手首に装着された電子タグを無線で読み取る手法も挙げられている。
【先行技術文献】
【特許文献】
【０００６】
【特許文献１】特開２００４−３５１０６３号公報
【特許文献２】特開２０１４−０６８６９６号公報
【発明の概要】
【発明が解決しようとする課題】
【０００７】
特許文献１に記載のシステムでは、データ採取者（例、看護師）、および、患者の特定のために、データ採取者および患者に装着された二次元バーコードを読み取る必要がある。患者の二次元バーコードの読み取りは、通常、看護師等のデータ採取者が行うこととされている。そのため、該システムでは、看護師は、体温、血圧といった生体情報の測定に際し、患者毎に、二次元バーコードの読み取りを実施する必要がある。例えば、二次元バーコードは、患者の腕に装着されている。そのため、看護師は、布団に覆われた二次元バーコードをバーコードリーダに読み取らせるために患者の布団をめくらなければならないような場合もある。また、患者によっては、二次元バーコードが装着された腕を下にした姿勢で横になっていることもある。このような場合、二次元バーコードの読み取り自体が困難となる。
【０００８】
近年、無線通信により識別情報を発信することが可能な識別用機器、例えばＲＦＩＤタグ、の利用が拡大している。上述のような看護支援システムにおいて、二次元バーコードに代えてそのような識別用機器を採用した場合、患者にＲＦＩＤタグを装着してもらうことになる。そうすることにより、看護師による患者の特定作業の効率化が期待でき、さらには、上述の患者特定作業の完全自動化も期待できるようになる。
【０００９】
しかしながら、直上記載のように、患者にＲＦＩＤタグを装着してもらい、患者の特定作業を当該ＲＦＩＤを用いて自動化した場合、例えば、ＲＦＩＤリーダがＲＦＩＤタグと通信可能な空間的範囲内に、つまりＲＦＩＤリーダの周囲に、ＲＦＩＤタグを装着した患者が複数人いるときに、それら複数の患者のなかから、これから看護師が生体情報を測定しようとしている患者を正しく特定することが困難になるという問題があった。
【００１０】
そこで、この発明の課題は、患者の生体情報のデータの収集における上記の問題を解決することができる看護支援端末装置の提供にある。
【００１１】
また、この発明の別の課題は、当該看護支援端末装置を有する看護支援システムの提供にある。
【００１２】
またこの発明のさらに別の課題は、看護支援端末装置における看護支援方法およびプログラムの提供にある。
【課題を解決するための手段】
【００１３】
上記課題を解決するため、この発明の一態様による看護支援端末装置は、
被測定者の生体情報のデータを収集する看護支援端末装置であって、
無線通信により患者を識別するための識別情報を取得する識別情報取得部と、
識別情報取得部が取得した識別情報に基づいて、患者が最後に生体情報の測定を受けた測定時刻に関する情報を取得する測定時刻取得部と、
識別情報に基づいて、患者を被測定者として特定する被測定者特定部と、を有し、
被測定者特定部は、識別情報取得部が複数の識別情報を取得した場合、複数の測定時刻のうちで最も古い時刻を示している識別情報に基づいて、一の患者を被測定者として特定することを特徴とする。
【００１４】
この発明の一態様による看護支援端末装置では、識別情報取得部が患者を識別するための識別情報を無線通信により取得し、測定時刻取得部が識別情報に基づいて、患者が最後に生体情報の測定を受けた測定時刻に関する情報を取得する。患者を被測定者として特定する被測定者特定部は、識別情報取得部が複数の識別情報を取得した場合、複数の測定時刻のうちで最も古い時刻を示している識別情報に基づいて一患者を被測定者として特定する。このようにして、看護支援端末装置は、取得した複数の識別情報のうち１つの識別情報を用いて一の患者を被測定者として特定することができる。例えば、看護師等は、日々の看護業務の１つとして、患者のベッドを巡回して生体情報を収集する業務に従事する。この巡回には、通例、規則性がある。すなわち、看護師等は、通例、複数の患者をある定まった順序に従って順々に巡回しながら各患者の生体情報を測定する。そこで、看護支援端末装置は、複数の識別情報が取得された場合、それら識別情報が示す患者それぞれが最後に生体情報の測定を受けた測定時刻のうち最も古い時刻を示している患者を被測定者として特定する。そうすることで、看護支援端末装置は、複数の識別情報が取得された場合においても、これから看護師が生体情報を測定しようとしている可能性が高い患者を自動的に被測定者として特定することができる。こうすることで、看護師等にとっての利便性が向上し、もって、業務効率の向上を図ることが可能となる。
【００１５】
別の局面では、看護支援端末装置は、
被測定者の生体情報のデータを収集する看護支援端末装置であって、
無線通信により患者を識別するための識別情報を取得する識別情報取得部と、
識別情報取得部が取得した識別情報に基づいて、患者が最後に生体情報の測定を受けた測定時刻に関する情報を取得する測定時刻取得部と、
識別情報に基づいて、患者を被測定者として特定する被測定者特定部と、
情報を表示する表示部と、
ユーザによる入力を受け付ける操作部と、を有し、
識別情報取得部が複数の識別情報を取得した場合、表示部は、当該複数の識別情報に基づいて取得された複数の測定時刻を表示し、操作部は、ユーザによる測定時刻の選択の入力を受け付け、被測定者特定部は、選択の入力に基づいて、一の患者を被測定者として特定することを特徴とする。
【００１６】
この別の局面では、看護支援端末装置は、複数の識別情報が取得された場合には、ユーザ（看護師等）に対し複数の識別情報が示す患者それぞれが最後に生体情報の測定を受けた時刻を提示してユーザの選択を受け付けて、ユーザの選択に基づいて一人の患者を被測定者として特定する。このため、ユーザは、前回の生体情報の測定の順序を参考にしながら、これから生体情報を測定しようとしている患者を選択することができ、これにより、看護師等にとっての利便性が向上し、もって、業務効率の向上を図ることが可能となる。
【００１７】
一実施形態の看護支援端末装置では、識別情報取得部が複数の識別情報を取得した場合、表示部は、当該複数の識別情報に基づいて取得された複数の測定時刻を、測定時刻が古い順にリスト表示してもよい。
【００１８】
この一実施形態の看護支援端末装置では、前回の測定時刻がリスト表示され、測定時刻が古いものが当該リストの上位に表示され、下位に行くにしたがって、測定時刻が比較的新しいものが表示される。そのため、ユーザ（看護師等）は、測定時刻が比較的古い患者を選択することがさらに容易になる。
【００１９】
一実施形態の看護支援端末装置では、さらに、被測定者の生体情報を測定する生体情報測定装置から被測定者の生体情報を取得する生体情報取得部と、生体情報を収集するサーバ装置へ被測定者の生体情報を送信する生体情報送信部と、を有してもよい。
【００２０】
この一実施形態の看護支援端末装置では、被測定者の生体情報を生体情報測定装置から取得して取得した生体情報をサーバ装置へ出力することができる。そのため、生体情報の取得から取得した生体情報の蓄積に至る処理をスムースに完了させることが可能になる。
【００２１】
この発明の別の一態様による看護支援システムは、
上記の看護支援端末装置と、
患者に装着されて使用され、患者を識別するための識別情報を保持する記憶媒体と、
患者が最後に生体情報の測定を受けた測定時刻に関する情報を保持するデータベースと、を有することを特徴とする。
【００２２】
この発明の別の一態様による看護支援システムでは、看護支援端末装置は、複数の識別情報が取得された場合、個々の識別情報が示す患者が最後に生体情報の測定を受けた時刻を利用して、端末装置が自動的に、または、ユーザの選択により、被測定者を特定することができる。そうすることで、看護師等測定者の利便性が向上し、もって、業務効率の向上を図ることが可能となる。
【００２３】
一実施形態の看護支援システムでは、記憶媒体は、ＩＣタグであってもよい。
【００２４】
この一実施形態の看護支援システムでは、看護支援端末装置は、ＩＣタグから被測定者を識別するための識別情報を取得することができる。そのため、極めて高速かつ簡便に被測定者を特定することができる。
【００２５】
この発明のさらに別の一態様による看護支援方法は、
被測定者の生体情報のデータを収集する看護支援端末装置における看護支援方法であって、
無線通信により患者を識別するための識別情報を取得する識別情報取得ステップと、
識別情報取得ステップで取得した識別情報に基づいて、患者が最後に生体情報の測定を受けた測定時刻に関する情報を取得する測定時刻取得ステップと、
識別情報に基づいて、患者を被測定者として特定する被測定者特定ステップと、を有し、
被測定者特定ステップにおいては、識別情報取得ステップで複数の識別情報を取得した場合、複数の測定時刻のうちで最も古い時刻を示している識別情報に基づいて、一の患者を被測定者として特定することを特徴とする。
【００２６】
この発明のさらに別の一態様による看護支援方法では、看護支援端末装置は、複数の識別情報が取得された場合においても、これから看護師が生体情報を測定しようとしている可能性が高い患者を自動的に被測定者として特定することができる。こうすることで、看護師等測定者の利便性が向上し、もって、業務効率の向上を図ることが可能となる。
【００２７】
別の局面では、看護支援端末方法は、
被測定者の生体情報のデータを収集する看護支援端末装置における看護支援方法であって、
無線通信により患者を識別するための識別情報を取得する識別情報取得ステップと、
識別情報取得ステップで取得した識別情報に基づいて、患者が最後に生体情報の測定を受けた測定時刻に関する情報を取得する測定時刻取得ステップと、
識別情報に基づいて、患者を被測定者として特定する被測定者特定ステップと、を有し、
被測定者特定ステップにおいては、識別情報取得ステップで複数の識別情報を取得した場合、表示部が当該複数の識別情報に基づいて取得された複数の測定時刻を表示し、操作部がユーザによる測定時刻の選択の入力を受け付け、選択の入力に基づいて、一の患者を被測定者として特定することを特徴とする。
【００２８】
この別の局面では、看護支援端末装置は、複数の識別情報が取得された場合には、ユーザ（看護師等）に対し複数の識別情報が示す患者それぞれが最後に生体情報の測定を受けた時刻を提示してユーザの選択を受け付けて、ユーザの選択に基づいて一人の患者を被測定者として特定する。このため、ユーザは、前回の生体情報の測定の順序を参考にしながら、これから生体情報を測定しようとしている患者を選択することができ、これにより、看護師等にとっての利便性が向上し、もって、業務効率の向上を図ることが可能となる。
【００２９】
この発明のさらに別の一態様による看護支援プログラムは、
被測定者の生体情報のデータを収集する看護支援端末装置のコンピュータに、
無線通信により患者を識別するための識別情報を取得する識別情報取得ステップと、
識別情報取得ステップで取得した識別情報に基づいて、患者が最後に生体情報の測定を受けた測定時刻に関する情報を取得する測定時刻取得ステップと、
識別情報に基づいて、患者を被測定者として特定する被測定者特定ステップと、を実行させ、
被測定者特定ステップにおいては、識別情報取得ステップで複数の識別情報を取得した場合、複数の測定時刻のうちで最も古い時刻を示している識別情報に基づいて、一の患者を被測定者として特定することを特徴とする。
【００３０】
この発明のさらに別の一態様による看護支援プログラムでは、看護支援端末装置は、複数の識別情報が取得された場合においても、これから看護師が生体情報を測定しようとしている可能性が高い患者を自動的に被測定者として特定することができる。こうすることで、看護師等測定者の利便性が向上し、もって、業務効率の向上を図ることが可能となる。
【００３１】
別の局面では、看護支援端末方法は、
被測定者の生体情報のデータを収集する看護支援端末装置のコンピュータに、
無線通信により患者を識別するための識別情報を取得する識別情報取得ステップと、
識別情報取得ステップで取得した識別情報に基づいて、患者が最後に生体情報の測定を受けた測定時刻に関する情報を取得する測定時刻取得ステップと、
識別情報に基づいて、患者を被測定者として特定する被測定者特定ステップと、を実行させ、
被測定者特定ステップにおいては、識別情報取得ステップで複数の識別情報を取得した場合、表示部が当該複数の識別情報に基づいて取得された複数の測定時刻を表示し、操作部がユーザによる測定時刻の選択の入力を受け付け、選択の入力に基づいて、一の患者を被測定者として特定することを特徴とする。
【００３２】
この別の局面では、看護支援端末装置は、複数の識別情報が取得された場合には、ユーザ（看護師等）に対し複数の識別情報が示す患者それぞれが最後に生体情報の測定を受けた時刻を提示してユーザの選択を受け付けて、ユーザの選択に基づいて一人の患者を被測定者として特定する。このため、ユーザは、前回の生体情報の測定の順序を参考にしながら、これから生体情報を測定しようとしている患者を選択することができ、これにより、看護師等にとっての利便性が向上し、もって、業務効率の向上を図ることが可能となる。
【発明の効果】
【００３３】
以上より明らかなように、この発明の一態様による看護支援端末装置、看護支援システムならびに看護支援方法および看護支援プログラムによれば、看護支援端末装置は、複数の識別情報が取得された場合、個々の識別情報が示す患者が最後に生体情報の測定を受けた時刻を利用して、自動的に、または、ユーザの選択により、被測定者を特定することができる。そうすることで、看護師等測定者の利便性が向上し、もって、業務効率の向上を図ることが可能となる。
【図面の簡単な説明】
【００３４】
【図１】この発明の一実施形態による看護支援システムの構成を示すブロック図である。
【図２】この発明の一実施形態による看護支援端末装置の構成を示すブロック図である。
【図３】看護支援端末装置の表示例を示す図である。
【図４】この発明の一実施形態によるデータ収集サーバの構成を示すブロック図である。
【図５Ａ】データ収集サーバが保持する看護師データベースの例を示す図である。
【図５Ｂ】データ収集サーバが保持する患者データベースの例を示す図である。
【図６Ａ】看護師の認証にかかる看護支援端末装置の処理を示すフローチャートである。
【図６Ｂ】看護師の認証にかかるデータ収集サーバの処理を示すフローチャートである。
【図７】看護師の認証が完了したときの看護支援端末装置の表示例を示す図である。
【図８】看護師が患者の生体情報の測定を行う様子を示す模式図である。
【図９Ａ】患者の認証にかかる看護支援端末装置の処理を示すフローチャートである。
【図９Ｂ】患者の認証にかかるデータ収集サーバの処理を示すフローチャートである。
【図１０】看護支援端末装置の選択画面の表示例を示す図である。
【図１１Ａ】生体情報データの収集にかかる看護支援端末装置の処理を示すフローチャートである。
【図１１Ｂ】生体情報データの収集および患者データベースの更新にかかるデータ収集サーバの処理を示すフローチャートである。
【図１２】看護支援端末装置の変形例の患者の認証にかかる処理を示すフローチャートである。
【発明を実施するための形態】
【００３５】
以下、この発明の実施の形態を、図面を参照しながら詳細に説明する。
【００３６】
本発明の実施形態による看護システムは、看護師等が使用して患者の生体情報（体温等）の測定データを収集する看護支援端末装置と、看護支援端末装置とデータ通信可能に接続され看護支援端末装置が収集した測定データを受け取って当該測定データを電子カルテに記録するデータ収集サーバとを有する。看護支援端末装置は、看護師や患者が装着したＩＣタグとの間でＲＦＩＤ通信を行って看護師およびこれから生体情報の測定を受ける患者を特定（認証）し、その後、体温計等の生体情報測定装置から測定データを取得する。取得された測定データ（体温等のデータ）は、一旦、看護支援端末装置の記憶装置に保持され、その後、看護師等の指示を受けてデータ収集サーバへ送信される。データ収集サーバは、受信した測定データを、特定された患者の電子カルテへ記録する。
【００３７】
特に、看護支援端末装置は、被測定者の特定（認証）動作において、複数のＩＣタグを検知した場合、複数のＩＣタグそれぞれから識別情報を取得し、取得した識別情報に基づいて、当該複数のＩＣタグを装着している複数の患者それぞれが最後に生体情報の測定を受けた時刻（日付を含んでもよい。）の情報を、データ収集サーバから取得する。
【００３８】
そして、看護支援端末装置は、取得した最後に測定を受けた時刻が古い順に、患者名および測定を受けた時刻をリスト表示した選択画面を表示し、ユーザの選択を受け付ける。患者名および測定を受けた時刻の１つがユーザによって選択されると、看護支援端末装置は、当該選択された患者を、これから生体情報の測定を受ける被測定者として特定する。
【００３９】
日々の通常の看護業務としての生体情報の測定では、看護師が複数の病室を決まった順序で巡回し、各病室においては、ある決まった順序で患者の生体情報の測定を順々に実施することによりなされることが多い。つまり、例えばある日の生体情報の測定業務において患者を巡回した順序と同じ順序で、次の日の生体情報の測定業務も行われる。そこで、本実施形態による看護支援端末装置は、患者が装着するＩＣタグを複数検知した場合、検知したＩＣタグから取得した識別情報に基づいて、それらＩＣタグを装着する患者が最後に生体情報の測定を受けた時刻（日付を含んでもよい。）を、時刻が古い順にリスト表示し、ユーザ（看護師）による選択を受け付ける。当該リスト表示により、ユーザは、最後に生体情報の測定を受けた時刻を参考に、これから生体情報の測定をしようとする患者を選択することが可能になる。また、最後に生体情報の測定を受けた時刻が古い順にリスト表示されるため、最も測定時刻が古いものがリスト中の最上位に表示され、下位に行くに従い測定時刻が新しいものが表示される。そのため、ユーザは、前回の測定時刻が比較的古い患者を、被測定者として選択し特定することが極めて容易になる。
【００４０】
なお、後述する本実施形態の看護支援端末装置の変形例においては、看護支援端末装置は、取得した最後に測定を受けた時刻が最も古い患者を、自動的に、被測定者に特定する。そうすることで、看護支援端末装置は、看護師を患者の特定作業から解放し、看護業務のさらなる効率向上に寄与することができる。
【００４１】
これより、本実施形態による看護支援システムについて詳細に説明する。
【００４２】
図１は、本発明の実施形態による看護支援システムを含む病院等の院内ネットワークの一例を示すブロック図である。図１を参照し、本発明の実施形態による看護支援システムの構成の概要を説明する。
【００４３】
看護支援システムは、看護師等が使用して患者等の生体情報（血圧、体温等）のデータを収集する端末装置１と、端末装置１とデータ通信可能に接続され端末装置１から生体情報のデータを取得し該生体情報のデータを電子カルテサーバ３ｓが管理する電子カルテに記録するデータ収集サーバ２と、看護師等に装着され、看護師等を識別するための識別情報をＲＦＩＤ通信により端末装置１へ送信する看護師ＩＤタグ５と、患者等に装着され、患者等を識別するための識別情報をＲＦＩＤ通信により端末装置１へ送信する患者ＩＤタグ７と、を有する。データ収集サーバ２は、後述するように、看護師および患者の認証のための機能も備える。端末装置１は、Ｗｉ−Ｆｉ通信により無線ＬＡＮアクセスポイント８と接続され、無線ＬＡＮアクセスポイント８を経由して院内ネットワーク９に接続されている。院内ネットワーク９には、これら端末装置１およびデータ収集サーバ２のほか、電子情報化されたカルテ（電子カルテ）を管理する電子カルテサーバ３ｓや、電子カルテサーバ３ｓにアクセスして電子カルテの情報を閲覧する電子カルテ閲覧端末装置３ｃや、端末装置１からの要求に応じて端末装置１の現在位置の情報を端末装置１に提供する位置情報サーバ４等が接続されている。
【００４４】
端末装置１は、本実施形態による看護支援端末装置である。端末装置１は、測定者である看護師等が装着する看護師ＩＤタグ５、および、被測定者である患者等が装着する患者ＩＤタグ７からそれぞれ、ＲＦＩＤ通信により、看護師識別情報（測定者を識別するための識別情報）および患者識別情報（被測定者を識別するための識別情報）を取得することができる。端末装置１は、取得した看護師識別情報および患者識別情報に基づいて、測定者および被測定者を特定する。より詳しくは、端末装置１は、先ず、取得した看護師識別情報および患者識別情報をデータ収集サーバ２へ送る。データ収集サーバ２は、受け取った情報に基づいて看護師または患者の認証を行い、認証の結果を端末装置１へ送信する。端末装置１は、データ収集サーバ２から返ってくる認証の結果に基づいて、データ測定を行う看護師およびデータが測定される患者を特定する。
【００４５】
看護師および患者が特定された状態において、端末装置１は、生体情報測定装置６から生体情報の測定データを受信する。具体的には、端末装置１は、体温計、血圧計、血糖計といった生体情報測定装置６から、体温、血圧、血糖値といった生体情報の測定データを、ＮＦＣ（Near Field Communication）通信により、取得する。端末装置１は、取得した生体情報の測定データを、表示部１３（図２）に表示し、測定者の指示に従って、測定者（看護師）および被測定者（患者）の情報とともにデータ収集サーバ２へ送る。
【００４６】
データ収集サーバ２は、測定者（看護師）および被測定者（患者）の情報ならびに生体情報の測定データを端末装置１から受け取ると、受け取った情報に基づいて電子カルテサーバ３ｓに対し電子カルテへの測定結果の記録を要求する。
【００４７】
電子カルテサーバ３ｓは、電子情報化されたカルテを管理するサーバである。電子カルテサーバ３ｓは、データ収集サーバ２からの要求に従い、被測定者の電子カルテに対し、測定データや測定者や時刻等といったデータを記録する。
【００４８】
看護師ＩＤタグ５は、記憶媒体、プロセッサ、および、無線通信用回路を有し、その記憶媒体に識別情報を保持するＲＦＩＤタグ（ＩＣタグ）である。本システムでは、当該識別情報を、看護師を識別するための情報（看護師識別情報（測定者識別情報））として使用する。看護師ＩＤタグ５は、職員証、リストバンド、バッジ等として看護師に装着可能である。看護師ＩＤタグ５は、端末装置１に内蔵または接続されたＲＦＩＤリーダ（第１無線通信モジュール（図２））からの電波を受信するとそれに対する応答として看護師識別情報を発信するパッシブタイプのＲＦＩＤタグである。看護師ＩＤタグ５は、例えば、端末装置１からおよそ１ｍの範囲内において、当該端末装置１のＲＦＩＤリーダ（第１無線通信モジュール（図２））と通信することができる。なお、看護師ＩＤタグ５は、アクティブタイプ、あるいは、セミアクティブタイプのＲＦＩＤタグでもよい。また、上記通信可能な範囲は、１ｍの範囲に限定されない。
【００４９】
患者ＩＤタグ７もまた、記憶媒体、プロセッサ、および、無線通信用回路を有し、その記憶媒体に識別情報を保持するＲＦＩＤタグ（ＩＣタグ）である。本システムでは、当該識別情報を、患者を識別するための情報（患者識別情報（被測定者識別情報））として使用する。患者ＩＤタグ７は、名札、リストバンド、バッジ等として患者に装着可能である。患者ＩＤタグ７は、看護師ＩＤタグ５同様、端末装置１のＲＦＩＤリーダ（第１無線通信モジュール（図２））からの電波を受信すると応答として患者識別情報を発信するパッシブタイプのＲＦＩＤタグである。患者ＩＤタグ７も、例えば、端末装置１からおよそ１ｍの範囲内において、当該端末装置１のＲＦＩＤリーダ（第１無線通信モジュール（図２））と通信することができる。なお、患者ＩＤタグ７もまた、アクティブタイプ、あるいは、セミアクティブタイプのＲＦＩＤタグでもよい。また、上記通信可能な範囲は、１ｍの範囲に限定されない。また、患者ＩＤタグ７は、患者のベッドに装着されてもよいし、あるいは、患者のベッドの傍に設置されてもよい。
【００５０】
生体情報測定装置６は、例えば、体温計、血圧計、血糖計、パルスオキシメータといった生体情報を測定するための装置である。生体情報測定装置６は、ＮＦＣ通信により、測定データを端末装置１へ送信する。なお、生体情報測定装置６と端末装置１との間の通信は、ＮＦＣでなくともよく、Ｂｌｕｅｔｏｏｔｈ（登録商標）といった通信規格であってもよい。また、生体情報測定装置６と端末装置１との間の通信は、通信ケーブル等を用いた有線接続により行ってもよい。
【００５１】
位置情報サーバ４は、端末装置１からの要求に応じて端末装置１の現在位置の情報を端末装置１へ提供するサーバ装置である。なお、端末装置１は、それが内蔵するＧＰＳモジュール１５（図２）の働きにより、自身の現在位置の情報を取得することも可能である。
【００５２】
図２を参照して端末装置１の構成について詳しく説明する。端末装置１は、所謂タブレット端末である。端末装置１は、制御部（ＣＰＵ）１１と、記憶部１２と、表示部１３と、操作部１４と、ＧＰＳ（Global Positioning System）モジュール１５と、第１無線通信モジュール１６と、第２無線通信モジュール１７と、第３無線通信モジュール１８とを有する。
【００５３】
制御部（ＣＰＵ）１１は、ＣＰＵ（Central Processing Unit；中央演算処理装置）およびその補助回路で構成され、端末装置１を構成する各部を制御し、記憶部１２に記憶されたプログラムおよびデータに従って各種の処理を実行する。すなわち、制御部（ＣＰＵ）１１は、操作部１４、ＧＰＳモジュール１５、第１無線通信モジュール１６、第２無線通信モジュール１７、第３無線通信モジュール１８等との間でデータのやりとりを行い、入力されたデータを処理し、処理したデータを、記憶部１２に記憶したり、表示部１３で表示したり、通信モジュール１６、１７、１８へ出力したりする。制御部（ＣＰＵ）１１は、１つまたは複数のプログラムをそれぞれ独立・並列的に随時実行することができ、それらプログラムを実行することによって、図６Ａ、図９Ａ、図１１Ａ等に記載された処理を実行することができる。
【００５４】
なお、制御部１１の構成は、ＣＰＵおよびその周辺の補助回路に限定されない。制御部１１は、ＡＳＩＣ（Application Specific Integrated Circuit）や、ＦＰＧＡ（Field-Programmable Gate Array）のようなプログラマブルロジックデバイスや、マイクロコントローラ、といったプロセッサとして実装可能である。また、制御部１１の実装上の構成は上述した例に限定されない。
【００５５】
記憶部１２は、制御部（ＣＰＵ）１１が実行するプログラムを格納し、またプログラムを実行するために必要な作業領域として用いられる。記憶部１２は、生体情報測定装置６から取得した生体情報の測定データの保持にも使用される。記憶部１２は、取得した生体情報の測定データをその取得の時刻（または測定された時刻）と関連づけて保持することができる。記憶部１２は、例えば、ＲＡＭ（Random Access Memory）やＲＯＭ（Read Only Memory）といった記憶装置である。また、記憶部１２の記憶領域を補助するための補助記憶装置の記憶媒体として、半導体メモリ（メモリカード、ＳＳＤ（Solid State Drive））などを用いることができる。
【００５６】
表示部１３および操作部１４は、タッチパネル液晶ディスプレイとして一体的に構成される。つまりその場合、表示部１３は、文字および図形を表示することができる液晶ディスプレイにより構成され、操作部１４は、液晶ディスプレイの表示面上に形成されたタッチセンサである。
【００５７】
ＧＰＳモジュール１５は、ＧＰＳ衛星からの電波を受信して受信した電波に含まれる信号に基づいて現在位置を特定するためのモジュールである。
【００５８】
第１無線通信モジュール１６は、所謂ＲＦＩＤリーダを備えたモジュールである。第１無線通信モジュール１６は、看護師ＩＤタグ５および患者ＩＤタグ７との間でＲＦＩＤによる通信を行って、看護師ＩＤタグ５および患者ＩＤタグ７（ＲＦＩＤタグ）が保持する識別情報を取得する。
【００５９】
第２無線通信モジュール１７は、生体情報測定装置６との間で非接触近距離無線通信を行うためのＮＦＣモジュールである。ユーザが生体情報測定装置６を端末装置１（の第２無線通信モジュール１７）に近接させると、第２無線通信モジュール１７は、生体情報測定装置６との間で通信を行い、生体情報測定装置６に保持された生体情報の測定データを受信する。なお、生体情報測定装置６と端末装置１との間の通信は、ＮＦＣに限定されるものではない。
【００６０】
第３無線通信モジュール１８は、例えば病室やナースステーションに設置された無線ＬＡＮアクセスポイント８との間で無線データ通信を行うためのＷｉ−Ｆｉモジュールである。端末装置１は、第３無線通信モジュール１８を介して、院内ネットワーク９（図１）に接続される。
【００６１】
図３は、端末装置１を上から見たときの模式図である。タブレット端末で構成される端末装置１は、その上面にタッチパネル液晶ディスプレイ１３（１４）を備えており、これが端末装置１の表示部１３および操作部１４を構成する。図面中の表示部１３の下方には、第２無線通信モジュール１７が配されている。
【００６２】
看護師ＩＤタグ５を装着した看護師が端末装置１に近づくと、（およそ１ｍの範囲にあると、）端末装置１は、看護師ＩＤタグ５の存在を検出し、当該ＩＤタグ５から看護師識別情報を取得する。端末装置１は、看護師識別情報に基づいて（データ収集サーバ２に認証を要求して得た認証の結果に基づいて）、測定者である看護師を特定する。すると、特定された看護師の名前が、看護師氏名表示欄１０１に表示される。
【００６３】
端末装置１を携えた看護師が患者に近づくと、端末装置１は、患者ＩＤタグ７の存在を検出し、当該ＩＤタグ７から患者識別情報を取得する。端末装置１は、患者識別情報に基づいて（データ収集サーバ２に認証を要求して得た認証の結果に基づいて）、被測定者である患者を特定する。すると、特定された患者の名前が、患者氏名表示欄１０２に表示される。
【００６４】
生体情報測定装置６の１つである血圧計から、測定データ（血圧のデータ）を受信すると、端末装置１は、当該血圧の値を血圧値表示欄１０３および１０４に表示する。また、脈拍数が、脈拍数表示欄１０５に表示される。
【００６５】
生体情報測定装置６の１つである体温計が第２無線通信モジュール１７にかざされると、体温計から、ＮＦＣ通信によって、測定データ（体温のデータ）が端末装置１へ送信される。すると、端末装置１は、当該体温の値を体温表示欄１０６に表示する。
【００６６】
ＳｐＯ２表示欄１０７および血糖値表示欄１０８には、それぞれ、上述した体温計の場合と同様にして生体情報測定装置６の１つであるパルスオキシメータや血糖計から取得されたデータが表示される。
【００６７】
送信ボタン１４１は、操作部１４に含まれる操作ボタンである。看護師が送信ボタン１４１をタップすると、端末装置１は、生体情報測定装置６から取得した測定データを、看護師（測定者）の情報、および、患者（被測定者）の情報とともに、データ収集サーバ２へ送信する。
【００６８】
次に、データ収集サーバ２について説明する。図４は、データ収集サーバ２の構成を示すブロック図である。データ収集サーバ２は、制御部（ＣＰＵ）２１と、メモリ２２と、ネットワークインタフェース２４とを有する。
【００６９】
制御部（ＣＰＵ）２１は、ＣＰＵ（Central Processing Unit；中央演算処理装置）およびその補助回路で構成され、データ収集サーバ２を構成する各部を制御し、メモリ２２に記憶されたプログラムおよびデータに従って各種の処理を実行する。制御部（ＣＰＵ）２１は、１つまたは複数のプログラムをそれぞれ独立・並列的に随時実行することができ、それらプログラムを実行することによって、図６Ｂ、図９Ｂ、図１１Ｂ等に記載された処理を実行することができる。
【００７０】
なお、制御部２１の構成は、ＣＰＵおよびその周辺の補助回路に限定されない。制御部２１は、ＡＳＩＣ（Application Specific Integrated Circuit）や、ＦＰＧＡ（Field-Programmable Gate Array）のようなプログラマブルロジックデバイスや、マイクロコントローラ、といったプロセッサとして実装可能である。また、制御部２１の実装上の構成は上述した例に限定されない。
【００７１】
メモリ２２は、制御部（ＣＰＵ）２１が実行するプログラムを格納し、またプログラムを実行するために必要な作業領域として用いられる。メモリ２２は、例えば、ＲＡＭ（Random Access Memory）やＲＯＭ（Read Only Memory）といった記憶装置である。また、記憶部１２の記憶領域を補助するための補助記憶装置の記憶媒体として、半導体メモリ（メモリカード、ＳＳＤ（Solid State Drive））などを用いることができる。
【００７２】
データ収集サーバ２は、上記したプログラムを実行することにより、端末装置１から送信される識別情報に基づいて、看護師や患者の認証を行う。また、データ収集サーバ２は、端末装置１から送信される測定データ等を受信し、受信した測定データに基づいて、電子カルテサーバ３ｓに対し、電子カルテへの測定データの記録を要求する。
【００７３】
さらに、データ収集サーバ２は、上記したプログラムを実行することにより、看護師データベース（測定者データベース）２３ｎ、および、患者データベース（被測定者データベース）２３ｐとして動作する。
【００７４】
図５Ａは、看護師データベース２３ｎに記録されるデータの例を示す図である。看護師データベース２３ｎは、看護師識別情報（識別子ＩＤ）と、看護師の名前等とを対応付けて記録するデータベースである。端末装置１から看護師識別情報が送られてくると、データ収集サーバ２は、受信した看護師識別情報をキーとして看護師データベース２３ｎを検索し、当該看護師識別情報に対応する看護師の情報（名前等）を取得する（看護師の認証）。データ収集サーバ２は、そのようにして取得した看護師の情報を、端末装置１へ送信する。なお当然のことながら、看護師データベース２３ｎは、名前以外の看護師の情報を記録することも可能である。
【００７５】
図５Ｂは、患者データベース２３ｐに記録されるデータの例を示す図である。患者データベース２３ｐは、患者識別情報（識別子ＩＤ）と、患者の名前と、患者が最後に生体情報の測定を受けた時刻（日付を含んでもよい）の情報を対応付けて管理するデータベースである。患者が最後に生体情報の測定を受けた時刻の情報は、例えば、前回端末装置１から生体情報の測定データとともに送られてきた測定時刻に関する情報でよい。つまり、端末装置１は、データ収集サーバ２への測定データの送信の際、測定データが測定された時刻（または測定データを取得した時刻）の情報をデータ収集サーバ２へ送信し、データ収集サーバ２は、送られてきた時刻の情報に基づいて被測定者（患者）に関する患者データベース２３ｐの「前回データ収集時刻」のデータを更新する。あるいは、時刻の情報として、データ収集サーバ２は前回端末装置１から生体情報の測定データを受信した時刻を用いてもよい。
【００７６】
データ収集サーバ２は、端末装置１から患者識別情報が送られてくると、受信した患者識別情報をキーとして患者データベース２３ｐを検索し、当該患者識別情報に対応する患者の情報（名前、最後に生体情報の測定を受けた時刻等）を取得する（患者の認証）。データ収集サーバ２は、そのようにして取得した患者の情報を、端末装置１へ送信する。なお当然のことながら、患者データベース２３ｐは、名前や前回データ収集時刻以外の患者の情報（性別、年齢等）を記録することも可能である。
【００７７】
以上のような構成を有する本実施形態による看護支援システムでは、端末装置１が、ＮＦＣ通信により、体温計等の生体情報測定装置６が測定した体温等の生体情報を取得し、端末装置１は、そのようにして取得した生体情報を、データ収集サーバ２へ送る。データ収集サーバ２は、看護師ＩＤタグ５および患者ＩＤタグ７により認証された看護師（測定者）および患者（被測定者）の情報を生体情報と関連づけて電子カルテサーバ３ｓへ送る。生体情報を受信した電子カルテサーバ３ｓは、患者（上記の被測定者）の電子カルテに生体情報の測定結果を記録する。生体情報の測定結果が記録された電子カルテは、電子カルテ閲覧端末装置３ｃを通じて、医師や看護師の閲覧に供される。
【００７８】
次に、図６Ａ、図６Ｂ、および、図７を参照して、看護師の認証（測定者の特定）について説明する。
【００７９】
図６Ａは、看護師の認証（測定者の特定）において、端末装置１（の制御部１１）が実行する処理の流れを示すフローチャートである。
【００８０】
制御部１１は、識別情報取得部として動作して、第１無線通信モジュール１６が看護師ＩＤタグ５を検出したかどうかをチェックする（ステップＳ１）。看護師ＩＤタグ５が検出されると（ステップＳ１における「ＹＥＳ」）、処理は、ステップＳ２へ進む。
【００８１】
ステップＳ２において、制御部１１は、測定者特定部として動作して、第１無線通信モジュール１６が看護師ＩＤタグ５から受信した識別情報に基づいて、データ収集サーバ２へ看護師の認証を要求する。
【００８２】
ここでデータ収集サーバ２側の動作について説明する。図６Ｂは、看護師の認証（測定者の特定）において、データ収集サーバ２（の制御部２１）がする処理の流れを示すフローチャートである。
【００８３】
データ収集サーバ２の制御部２１は、ネットワークインタフェース２４を通じて端末装置１から看護師の認証にかかるリクエストを受信したかどうかをチェックする（ステップＳ１０１）。看護師の認証にかかるリクエストの受信を確認すると（ステップＳ１０１における「ＹＥＳ」）、処理は、ステップＳ１０２へ進む。
【００８４】
ステップＳ１０２において、制御部２１は、看護師データベース２３ｎ（図５Ａ）にアクセスして当該リクエストとともに受信した看護師識別情報をキーとして看護師の情報を検索する。例えば、リクエストとともに受信した看護師識別情報が「ＮＩＤ０００１」であった場合、制御部２１は、看護師データベース２３ｎから、看護師の情報として、看護師の名前「Ｎ」を取得する。
【００８５】
次に、ステップＳ１０３において、制御部２１は、看護師識別情報に基づいて取得した看護師の情報を、端末装置１へ送る。例えば、データ収集サーバ２は、看護師の情報（名前「Ｎ」）を、院内ネットワーク９を通じて、端末装置１へ送る。
【００８６】
図６Ａに戻り、ステップＳ３において、端末装置１の制御部１１は、測定者特定部として動作して、データ収集サーバ２から、看護師の情報を取得し、測定者としての看護師を特定する。図７は、このようにしてなされる看護師の認証後の端末装置１の表示の例を示す図である。同図に例示されるように、看護師の認証（特定）が成功すると、端末装置１の表示部１３の看護師氏名表示欄１０１に特定された看護師の氏名が表示される。
【００８７】
次に、図８、図９Ａ、図９Ｂ、図１０を参照して、患者の認証（被測定者の特定）について説明する。本実施形態による端末装置１では、複数の患者ＩＤタグ７が検出された場合、ユーザ（看護師）が複数の患者から一の被測定者を選択する。選択を受け付けた端末装置１は、当該選択に従って被測定者を特定する。
【００８８】
図８は、携帯端末１を携えた看護師Ｎが１０１号病室に入室した状況を示す模式図である。同図で看護師Ｎは、ベッド１０１−３に横たわる患者の近くに立っている。以下ではこのような状況を事例として挙げて端末装置１の動作説明を行う。このとき、端末装置１は、患者Ａさん、患者Ｃさん、および、患者Ｄさんがそれぞれ装着している患者ＩＤタグ７を検知したとする。すなわち、端末装置１の制御部１１は、識別情報取得部として動作して、第１無線通信モジュール１６を介し、患者Ａさん、患者Ｃさん、および、患者Ｄさんがそれぞれ装着している患者ＩＤタグ７から、患者識別情報を取得する。
【００８９】
図９Ａを参照すれば、ステップＳ４において、制御部１１は、識別情報取得部として動作して、第１無線通信モジュール１６が患者ＩＤタグ７を検出したかどうかをチェックする。上述した事例（図８）では、端末装置１は、Ａさん、Ｃさん、Ｄさんの患者ＩＤタグ７を検出する。患者ＩＤタグ７が検出されたため（ステップＳ４における「ＹＥＳ」）、処理は、ステップＳ５へ進む。
【００９０】
ステップＳ５において、制御部１１は、複数の患者ＩＤタグ７を検出したが否かを判断する。複数の患者ＩＤタグ７を検出した場合（ステップＳ５における「ＹＥＳ」）、処理は、ステップＳ８へ進み、ただ１つの患者ＩＤタグ７を検出した場合（ステップＳ５における「ＮＯ」）、処理は、ステップＳ６へ進む。図８に示した状況では、３つの患者ＩＤタグが検出されているため、処理は、ステップＳ８へ進む。
【００９１】
ステップＳ８において、制御部１１は、検出した複数の患者ＩＤタグ７の識別情報を用いてデータ収集サーバ２に対し、患者認証を要求する。つまり、本ステップでは、制御部１１は、データ収集サーバ２に対し複数の識別情報について認証を要求する。
【００９２】
ここでデータ収集サーバ２側の動作について説明する。図９Ｂは、患者の認証（被測定者の特定）において、データ収集サーバ２（の制御部２１）がする処理の流れを示すフローチャートである。
【００９３】
データ収集サーバ２の制御部２１は、ネットワークインタフェース２４を通じて端末装置１から患者の認証にかかるリクエストを受信したかどうかをチェックする（ステップＳ１０４）。患者の認証にかかるリクエストの受信を確認すると（ステップＳ１０４における「ＹＥＳ」）、処理は、ステップＳ１０５へ進む。
【００９４】
ステップＳ１０５において、制御部２１は、患者データベース２３ｐ（図５Ｂ）にアクセスして当該リクエストとともに受信した患者識別情報をキーとして看護師の情報を検索する。例えば、リクエストとともに受信した看護師識別情報が「ＰＩＤ０００１」、「ＰＩＤ０００３」、「ＰＩＤ０００４」であった場合、制御部２１は、患者データベース２３ｐから、患者の情報として、患者の名前「Ａ」、「Ｃ」、「Ｄ」や、前回生体情報の測定を受けた時刻「９月１１日午前９：００」、「９月１１日午前８：００」、「９月１１日午前９：３０」を取得する。
【００９５】
次に、ステップＳ１０６において、制御部２１は、患者識別情報に基づいて取得した患者の情報を、端末装置１へ送る。例えば、データ収集サーバ２は、患者の情報（名前「Ａ」、「Ｃ」、「Ｄ」、前回データ収集時刻「９月１１日午前９：００」、「９月１１日午前８：００」、「９月１１日午前９：３０」）を、院内ネットワーク９を通じて、端末装置１へ送る。
【００９６】
図９Ａに戻り、ステップＳ９において、端末装置１の制御部１１は、データ収集サーバ２から、患者の情報を取得する。
【００９７】
ステップＳ１０において、制御部１１は、ステップＳ９で取得した患者の情報について、患者の「前回データ収集時刻」が古い順に並べ替える。例えば、患者が「Ａ」、「Ｃ」、および、「Ｄ」の場合、「Ｃ」→「Ａ」→「Ｄ」の順に患者を並べ替える。
【００９８】
ステップＳ１１において、制御部１１は、ステップＳ１０で並べ替えた順序に従って、患者の「名前」および「データ収集時刻」の情報を、表示部１３にリスト表示する。
【００９９】
図１０は、ステップＳ１１におけるリスト表示の表示例である。このように、表示部１３に、前回データ収集時刻（最後に生体情報の測定を受けた測定時刻）が古い順に、患者の情報（病室、ベッド番号、患者名１０９ａ、前回データ収集時刻１０９ｂ）が並べられたリスト１０９が表示される。また、リスト１０９の各項目には、選択ボタン１０９ｃ（１４２）が表示される。この選択ボタン１４２は、操作部の一部を構成する。
【０１００】
図９Ａに戻って、ステップＳ１２において、端末装置１の制御部１１は、ユーザからの選択ボタン１４２を介した選択の入力を受け付ける。ユーザが選択の入力を行うと（ステップＳ１２における「ＹＥＳ」）、処理は、ステップＳ１３へ進む。
【０１０１】
ステップＳ１３において、制御部１１は、被測定者特定部として動作して、ステップＳ１３で受け付けたユーザの選択の入力に基づいて、複数の患者（「Ａ」、「Ｃ」、「Ｄ」）のうちから、一人の患者を生体情報の測定の対象である被測定者を特定する。
【０１０２】
他方、ステップＳ４でただ１つの患者ＩＤタグ７を検出した場合、処理は、ステップＳ５からステップＳ６に進む。ステップＳ６においては、制御部１１は、被測定者特定部として動作して、検出した患者ＩＤタグ７の識別情報を用いてデータ収集サーバ２に対し、患者認証を要求する。
【０１０３】
ステップＳ７においては、制御部１１は、被測定者特定部として動作して、データ収集サーバ２から患者の情報を受け取って、受け取った患者の情報に基づいて、生体情報の測定の対象である被測定者を特定する。
【０１０４】
以上、患者の認証（被測定者の特定）にかかる動作について説明した。このように、本看護システムの端末装置１は、複数の患者ＩＤタグ７を検出した場合、当該複数の患者ＩＤタグ７それぞれから識別情報を取得し、取得した識別情報に基づいて、患者の情報（患者名、前回データ収集時刻等）を取得する。そして、前回データ収集時刻（最後に生体情報の測定を受けた時刻）が古い順に患者をソートして、当該複数の患者のリスト１０９を表示する。当該リスト１０９には、最後に生体情報の測定を受けた時刻１０９ｂも合わせて表示される。また、リストの各項目には、ユーザが操作可能な選択ボタン１４２が表示される。看護師等のユーザは、当該複数の患者から、各患者が最後に生体情報の測定を受けた時刻（日付を含んでもよい。）を参考にして、これから生体情報の測定を行う患者（被測定者）を選択することができる。リスト１０９は、最後に生体情報の測定を受けた時刻（日付を含んでよい。）が古い順にソートされた状態で表示されるため、看護師等のユーザにとって利便性が高い。なぜなら、リスト表示された複数の患者のうちで最後の測定の時刻が最も古い患者は、それら複数の患者のうちで最も先に生体情報の測定を受けるべき患者である蓋然性が極めて高いためである。
【０１０５】
以上のようにして患者（被測定者）の特定がなされると、端末装置１は、生体情報測定装置６から患者の生体情報の測定データを受信し、受信した測定データをデータ収集サーバ２へ送信するための処理を行う。ここから、図１１Ａ、および、図１１Ｂを参照して、この処理について説明する。
【０１０６】
図１１Ａは、端末装置１がする処理のフローチャートを示す図である。ステップＳ１４において、端末装置１の制御部１１は、生体情報取得部として動作して、被測定者の生体情報を測定する生体情報測定装置６から被測定者の生体情報を取得する。例えば、看護師が、体温計を用いて患者の体温を計測し、計測が完了した体温計を、端末装置１の第２無線通信モジュール１７に近接させると、端末装置１は、ＮＦＣ通信により、体温計から体温のデータを取得する。端末装置１は、継続的に第２無線通信モジュール１７に近接する生体情報測定装置６の有無をチェックし続け、生体情報測定装置６が検出されると随時、生体情報の測定データを生体情報測定装置６から取得する。
【０１０７】
なお、生体情報のデータの取得は、上述したＮＦＣ通信による手法に限定されない。例えば、看護師が血圧計や巻き尺などを使用して患者の血圧や腹囲などを計測し、計測値を看護師が直接端末装置１に入力してもよい。
【０１０８】
端末装置１は、継続的に第２無線通信モジュール１７に近接する生体情報測定装置６の有無をチェックし続けるとともに、ステップＳ１５において、データ送信の指示の入力の有無をチェックする。ここでのデータ送信の指示の入力は、例えば、看護師が、送信ボタン１４１（図３）をタップすることによりなされればよい。
【０１０９】
端末装置１に対しデータ送信の指示が入力されると（ステップＳ１５における「ＹＥＳ」）、制御部１１は、生体情報送信部として動作して、データ収集サーバ２へ被測定者の生体情報の測定データを送信する（ステップＳ１６）。このとき、制御部１１は、測定データとともに、測定者である看護師の情報（氏名等）と、被測定者である患者の情報（氏名等）と、測定時刻（日付を含んでもよい。）の情報を、データ収集サーバ２へ送信する。ここで端末装置１がデータ収集サーバ２へ送信する測定時刻の情報は、端末装置１が測定データを取得した時刻（日付を含んでもよい。）でよい。あるいは、測定時刻の情報は、生体情報測定装置６が生体情報を測定した時刻（日付を含んでもよい。）でもよい。その場合、端末装置１は、生体情報測定装置６から、生体情報を測定した時刻に関する情報を取得すればよい。あるいは、端末装置１は、生体情報測定装置６において測定データが生成された時刻に関する情報を生体情報測定装置６から取得し、当該時刻を、測定時刻とみなして用いてもよい。その場合には、端末装置１は、生体情報測定装置６において測定データが生成された時刻に関する情報を測定データの属性情報等から取得してもよい。
【０１１０】
図１１Ｂは、データ収集サーバ２が端末装置１から測定データ等を受信したときにする処理のフローチャートである。
【０１１１】
ステップＳ１０７において、データ収集サーバ２の制御部２１は、端末装置１から測定データを受信したかどうかをチェックする。測定データが受信された場合（ステップＳ１０７における「ＹＥＳ」）、処理は、ステップＳ１０８へ進む。
【０１１２】
ステップＳ１０８において、制御部２１は、受信した測定データを、測定者および被測定者の情報とともに、電子カルテサーバ３ｓへ送信し、電子カルテサーバ３ｓに対し当該測定データ等の電子カルテへの記録を要求する。
【０１１３】
要求を受けた電子カルテサーバ３ｓは、測定データを、被測定者の電子カルテに記載する処理を行う。以上により、測定データの電子カルテへの記録が完了する。
【０１１４】
ステップＳ１０９において、制御部２１は、端末装置１から受信した測定時刻の情報に基づいて、患者データベース２３ｐ（図５Ｂ）の「前回データ収集時刻」の記録を更新する。
【０１１５】
以上、ここまで説明したように、本実施形態による看護システムにおいては、ＩＣタグを用いた個人認証により、看護師および患者の認証および特定を迅速に行うことができる。さらに、本システムの端末装置１は、複数のＩＣタグを検出した場合、ユーザ（看護師等）に対し複数の識別情報が示す患者それぞれが最後に生体情報の測定を受けた時刻を提示してユーザの選択を受け付けて、ユーザの選択に基づいて一人の患者を被測定者として特定する。このため、ユーザは、前回の生体情報の測定の順序を参考にしながら、これから生体情報を測定しようとしている患者を選択することができ、これにより、看護師等にとっての利便性が向上し、もって、業務効率の向上を図ることが可能となる。
【０１１６】
（変形例）
次に、端末装置１の変形例について説明する。本変形例では、患者を被測定者として特定する被測定者特定部（制御部１１）は、識別情報取得部が複数の識別情報を取得した場合、複数の測定時刻のうちで最も古い時刻を示している識別情報に基づいて一の患者を被測定者として特定する。つまり、本変形例による端末装置１は、取得した複数の識別情報のうちから一の患者を被測定者として、自動的に、特定する。
【０１１７】
変形例による端末装置１は、患者ＩＤタグ７を検出してから一の患者を生体情報測定の被測定者として特定するまでの動作に特徴を有する。その他の構成および動作については、先に説明した端末装置１と同じでよい。そのため、同様の構成および動作については、説明を省略する。
【０１１８】
図１２は、変形例による端末装置１が被測定者の特定のために行う処理を示したフローチャートである。
【０１１９】
ステップＳ２４、ステップＳ２５は、先に説明したステップＳ４、ステップＳ５（図９Ａ）と同じ処理でよい。
【０１２０】
複数の患者ＩＤタグ７が検出された場合、処理は、ステップＳ２８へ進む。
【０１２１】
ステップＳ２８、ステップＳ２９は、先に説明したステップＳ８、ステップＳ９（図９Ａ）と同じ処理でよい。
【０１２２】
ステップＳ３０において、端末装置１の制御部１１は、被測定者特定部として動作して、ステップＳ２９で取得した患者の情報について、前回データ収集時刻を比較し、前回データ収集時刻が最も古い患者を特定する。そして、制御部１１は、そのようにして特定された患者を生体情報の測定対象（被測定者）として特定する。
【０１２３】
他方、ステップＳ２４でただ１つの患者ＩＤタグ７を検出した場合、処理は、ステップＳ２５からステップＳ２６に進む。
【０１２４】
ステップＳ２６、ステップＳ２７は、先に説明したステップＳ６、ステップＳ７（図９Ａ）と同じ処理でよい。
【０１２５】
以上、本変形例による端末装置１においては、識別情報取得部が複数の識別情報を取得した場合、複数の測定時刻のうちで最も古い時刻を示している識別情報に基づいて一患者を被測定者として特定する。このようにして、端末装置１は、取得した複数の識別情報のうち１つの識別情報を用いて一の患者を被測定者として特定することができる。例えば、看護師等は、日々の看護業務の１つとして、患者のベッドを巡回して生体情報を収集する業務に従事する。この巡回には、通例、規則性がある。すなわち、看護師等は、通例、複数の患者をある定まった順序に従って順々に巡回しながら各患者の生体情報を測定する。そこで、端末装置１は、複数の識別情報が取得された場合、それら識別情報が示す患者それぞれが最後に生体情報の測定を受けた測定時刻のうち最も古い時刻を示している患者を被測定者として特定する。そうすることで、端末装置１は、複数の識別情報が取得された場合においても、これから看護師が生体情報を測定しようとしている可能性が高い患者を自動的に被測定者として特定することができる。こうすることで、看護師等にとっての利便性が向上し、もって、業務効率の向上を図ることが可能となる。
【０１２６】
上記実施形態においては、端末装置１は、所謂タブレット端末として説明した。しかしながら、端末装置１は、タブレット端末に限定されない。端末装置１は、例えば、デスクトップ・コンピュータ、ラップトップ・コンピュータ、ノートブック・コンピュータ、ポケット・コンピュータ、ラグドコンピュータ(rugged computer)、スマートデバイス（スマートフォン、スマートウォッチ、スマートグラス）、ウェアラブルコンピュータ、携帯電話、携帯情報端末（ＰＤＡ）等であってもよく、また、これらに限定されない。
【０１２７】
上記実施形態においては、看護師ＩＤタグ５および患者ＩＤタグ７は、ＩＣタグ（ＲＦＩＤタグ）であるとして説明した。しかしながら、看護師ＩＤタグ５および患者ＩＤタグ７は、ＩＣタグに限定されない。看護師ＩＤタグ５および患者ＩＤタグ７は、様々な通信方式で識別情報を端末装置１へ送信できる機器であってよい。様々な通信方式とは、例えば、ＩＳＯ／ＩＥＣ７８１６、ＩＳＯ／ＩＥＣ１０５３６、ＩＳＯ／ＩＥＣ１４４４３、ＩＳＯ／ＩＥＣ１８０９２、ＩＳＯ／ＩＥＣ１５６９３、マイクロ波を利用した遠隔型非接触通信、ＩＥＥＥ８０２．１１  ａ／ｂ／ｇ／ｎ、Ｂｌｕｅｔｏｏｔｈ等であってよく、また、これらに限定されない。また、看護師ＩＤタグ５および患者ＩＤタグ７と端末措置１との通信は、有線接続された信号線を介してなされてもよい。また、看護師ＩＤタグ５および患者ＩＤタグ７は、バーコード、二次元バーコード（ＱＲコード（登録商標））でもよい。
【０１２８】
生体情報測定装置６は、血圧計、体温計、パルスオキシメータ、血糖計、体重計、体組成計を含み、これらに限定されない。生体情報測定装置６によって測定される生体情報は、血圧、脈拍数、体温、酸素飽和度、血糖値、体重、体脂肪率を含み、これらに限定されない。上記実施形態においては、生体情報測定装置６は、ＮＦＣ通信を行って、端末装置１へ測定データを転送するとして説明した。しかしながら、生体情報測定装置６と端末装置１との通信は、ＮＦＣ通信に限定されない。通信方式は、例えば、ＩＳＯ／ＩＥＣ７８１６、ＩＳＯ／ＩＥＣ１０５３６、ＩＳＯ／ＩＥＣ１４４４３、ＩＳＯ／ＩＥＣ１８０９２、ＩＳＯ／ＩＥＣ１５６９３、マイクロ波を利用した遠隔型非接触通信、ＩＥＥＥ８０２．１１  ａ／ｂ／ｇ／ｎ、Ｂｌｕｅｔｏｏｔｈ等であってよく、また、これらに限定されない。また、生体情報測定装置６と端末措置１との通信は、有線接続された信号線を介してなされてもよい。
【０１２９】
上記実施形態においては、被測定者（患者）が最後に生体情報の測定を受けた時刻（前回生体情報の測定を受けた時刻）に関する情報を保持するデータベースは、データ収集サーバ２内に構成されるデータベース（患者データベース２３ｐ）であるとして説明した。しかしながら、データベースは、データ収集サーバ２以外のサーバ装置内に構成されてよい。あるいは、端末装置１が自機の内部に、被測定者（患者）が最後に生体情報の測定を受けた時刻（日付を含んでよい。）に関する情報を保持するデータベースを保有してもよい。
【符号の説明】
【０１３０】
１  ：看護支援端末装置
２  ：データ収集サーバ
３ｓ：電子カルテサーバ
３ｃ：電子カルテ閲覧端末装置
４  ：位置情報サーバ
５  ：看護師ＩＤタグ
６  ：生体情報測定装置
７  ：患者ＩＤタグ
８  ：無線ＬＡＮアクセスポイント
９  ：ネットワーク
１１  ：制御部（ＣＰＵ）
１２  ：記憶部
１３  ：表示部
１４  ：操作部
１５  ：ＧＰＳモジュール
１６  ：第１無線通信モジュール
１７  ：第２無線通信モジュール
１８  ：第３無線通信モジュール
２１  ：制御部（ＣＰＵ）
２２  ：メモリ
２３ｎ：看護師データベース
２３ｐ：患者データベース
２４  ：ネットワークインタフェース
１０１  ：看護師氏名表示欄
１０２  ：患者氏名表示欄
１０３  ：血圧値表示欄
１０４  ：血圧値表示欄
１０５  ：脈拍数表示欄
１０６  ：体温表示欄
１０７  ：ＳｐＯ２表示欄
１０８  ：血糖値表示欄
１０９  ：リスト
１１２  ：病棟マップ
１１３  ：マーカ
１１４  ：フロアマップ
１１５  ：注意喚起メッセージ
１４１  ：送信ボタン
１４２  ：選択ボタン
【図１】
0006482864.tif 000002
【図２】
0006482864.tif 000003
【図３】
0006482864.tif 000004
【図４】
0006482864.tif 000005
【図５Ａ】
0006482864.tif 000006
【図５Ｂ】
0006482864.tif 000007
【図６Ａ】
0006482864.tif 000008
【図６Ｂ】
0006482864.tif 000009
【図７】
0006482864.tif 000010
【図８】
0006482864.tif 000011
【図９Ａ】
0006482864.tif 000012
【図９Ｂ】
0006482864.tif 000013
【図１０】
0006482864.tif 000014
【図１１Ａ】
0006482864.tif 000015
【図１１Ｂ】
0006482864.tif 000016
【図１２】
0006482864.tif 000017